(57)【要約】      （修正有） 【課題】手桶の収納の有無に関わらず風呂用腰掛が使用でき、手桶が倒立した状態でのみ収納でき、収納部の清掃が容易で、手桶の容量を確保できる風呂用一体型腰掛を提供する。【解決手段】側面に開口１ｃを設け、開口１ｃから横方向に手桶２を収納可能な空間であると共に手桶２を一体的に移動可能に支持する手桶収納部を座部下内部に設けてなる風呂用腰掛１と、手桶収納部へ丁度収納される手桶２と、を有することを特徴とする。開口１ｃは、開口１ｃの正面から見て、左右方向の対向間隔は上部が下部よりも小さく、手桶２を倒立した場合のみ、開口１ｃを通過できる。【選択図】図１
0003152541.tif 000002
【実用新案登録請求の範囲】
【請求項１】
側面に開口を設け、該開口から横方向に手桶を収納可能な空間であると共に手桶を一体的に移動可能に支持する手桶収納部を座部下内部に設けてなる風呂用腰掛と、
風呂用腰掛の前記開口から横方向に手桶収納部へ倒立した状態でのみ挿脱可能で、手桶収納部へ丁度収納される手桶と、
を有することを特徴とする風呂用一体型腰掛。
【請求項２】
風呂用腰掛の前記開口は、開口の正面から見て、左右方向の対向間隔は上部が下部よりも小さく、手桶を倒立して前記開口を通過できるが正立すると手桶の下部が前記開口の上部の左右の縁に干渉し手桶が風呂用腰掛に収納できない形状であることを特徴とする請求項１に記載の風呂用一体型腰掛。
【請求項３】
風呂用腰掛の前記開口は、前後の側面に設けられており、手桶は風呂用腰掛の前後何れの側面側の開口からも風呂用腰掛内に出し入れ可能であることを特徴とする請求項１又は２に記載の風呂用一体型腰掛。
【請求項４】
風呂用腰掛に手桶を収納した状態において、風呂用腰掛の前後の側面と手桶の前後の側面は同一面又はほぼ同一面上に位置することを特徴とする請求項１から３の何れか１つに記載の風呂用一体型腰掛。
【請求項５】
風呂用腰掛の座部には手桶収納部に通ずる水抜き穴を有し、周辺より内側に向って下るように傾斜した底板を有する手桶は底板の周縁に底板から下方に突出する脚部を有し、脚部には、手桶を倒立した際に底板上の水を排出する排水路を有することを特徴とする請求項１から４に記載の風呂用一体型腰掛。
【考案の詳細な説明】
【技術分野】
【０００１】
この考案は風呂用腰掛と手桶に係り、風呂用腰掛と手桶を一体的とした風呂用一体型腰掛に関する。
【背景技術】
【０００２】
手桶を収納可能とした風呂用腰掛には、風呂用腰掛の座部を腰掛本体に対して着脱可能な蓋として、風呂用腰掛内に手桶を収納し、該腰掛の上部開口を蓋で閉めるようなものが市販例にある。
【０００３】
特許文献１に記載の風呂用セットは椅子に桶用嵌合段部を設けて洗面桶を倒立して桶用嵌合段部に嵌合している。  
【０００４】
特許文献２に記載の風呂用セットは椅子の上部周縁に設けた桶用嵌合段部に桶の開口縁部を嵌合することが示されている。
【０００５】
特許文献３に記載の携帯式洗面具入れは椅子の底面開口から桶を椅子内に収容する提案である。
【先行技術文献】
【特許文献】
【０００６】
特許文献１    登録実用新案第３０４２８７８号公報
特許文献２    実開平５−７６３９２号公報
特許文献３    実開平６−３１８８号公報
【非特許文献】
【０００７】
なし
【考案の概要】
【考案が解決しようとする課題】
【０００８】
前述した座部を蓋として風呂用腰掛内に手桶を収納可能とした市販例では、風呂用腰掛内に手桶の開口を上向けて収納している。従って、手桶の底に水が溜まっても水切りされない。又、手桶を取り出したり、収納したりするのに蓋を風呂用腰掛の本体に一々着脱しなければならない。部材の数も風呂用腰掛は蓋と本体となり部材の数は風呂用腰掛について２個となっている。
【０００９】
特許文献１，２に記載の風呂用セットは風呂用腰掛に設けた桶用嵌合段部に桶を倒立して嵌合している。このため、桶を風呂用腰掛から片手で取り外しが難しい。桶が風呂用腰掛に嵌合している状態では、座ることが出来ない。即ち、手桶に用のない場合に風呂用腰掛に座るには、風呂用腰掛から手桶を取り外さねばならない。
【００１０】
特許文献３に記載の銭湯用桶付椅子は倒立した椅子に桶を収納している。このようにすると、椅子から桶を取り出しづらい。桶に水が溜ると排水できない。桶を椅子から取り出さないと椅子又は桶を用いることができない。
【００１１】
この考案は手桶に収納される一体型風呂用腰掛において、手桶が風呂用腰掛に収納されているか否かにかかわらず風呂用腰掛が使用可能とした一体型風呂用腰掛を提供することを目的とする。
【００１２】
風呂用腰掛の手桶収納部が手桶の開口を上にした正立状態での収納を許容すると手桶に水が溜まってしまう。
【００１３】
この考案は上記において手桶が倒立した状態でしか風呂用腰掛に収納できない風呂用一体型腰掛を提供することを目的とする。
【００１４】
風呂用腰掛内に手桶を収納した一体型手桶とすると手桶の収納部の清掃が容易でなくなる。
【００１５】
この考案は手桶の収納部の清掃が容易な風呂用一体型腰掛を提供することを目的とする。
【００１６】
風呂用腰掛内に手桶を収納する風呂用一体型風呂用腰掛では、手桶の容量が小さくなるおそれがある。
【００１７】
この考案は手桶の容量を確保できる風呂用腰掛内に手桶を収納した風呂用一体型腰掛を提供することを目的とする。
【００１８】
手桶は底板を着床する平板とすると手桶を風呂場の床に置いた場合、床の状態によっては安定しない（例えば特許文献１参照）。そこで周縁だけ着床するように底板中央部に向って少し中高となるように上方に向って凸な曲面とした手桶（例えば、特許文献２参照）は、倒立して置くと手桶の底板上に水が溜まってしまう。
【００１９】
この考案は風呂用一体型腰掛に採用される手桶が安定した床上に置くことが出来ると共に倒立した状態において底板上に水の溜まらない風呂用一体型腰掛
を提供することを目的とする。
【課題を解決するための手段】
【００２０】
本出願に係る第1の考案は、側面に開口を設け、該開口から横方向に手桶を収納可能な空間であると共に手桶を一体的に移動可能に支持する手桶収納部を座部下内部に設けてなる風呂用腰掛と、
風呂用腰掛の前記開口から横方向に手桶収納部へ倒立した状態でのみ挿脱可能で、手桶収納部へ丁度収納される手桶と、
を有することを特徴とする風呂用一体型腰掛である。
【００２１】
本出願に係る第２の考案は、風呂用腰掛の前記開口は、開口の正面から見て、左右方向の対向間隔は上部が下部よりも小さく、手桶を倒立して前記開口を通過できるが正立すると手桶の下部が前記開口の上部の左右の縁に干渉し手桶が風呂用腰掛に収納できない形状であることを特徴とする第1の考案に記載の風呂用一体型腰掛である。
【００２２】
本出願に係る第３の考案は、風呂用腰掛の前記開口は、前後の側面に設けられており、手桶は風呂用腰掛の前後何れの側面側の開口からも風呂用腰掛内に出し入れ可能であることを特徴とする第１又は第２の考案に記載の風呂用一体型腰掛である。
【００２３】
本出願に係る第４の考案は風呂用腰掛に手桶を収納した状態において、風呂用腰掛の前後の側面と手桶の前後の側面は同一面又はほぼ同一面上に位置することを特徴とする第1から第３の何れか1つの考案に記載の風呂用一体型腰掛である。
【００２４】
本出願に係る第５の考案は風呂用腰掛の座部には手桶収納部に通ずる水抜き穴を有し、周辺より内側に向って下るように傾斜した底板を有する手桶は底板の周縁に底板から下方に突出する脚部を有し脚部には、手桶を倒立した際に底板上の水を排出する排水路を有することを特徴とする第１から第４の何れか1つの考案に記載の風呂用一体型腰掛である。
【考案の効果】
【００２５】
請求項１に係る考案によれば、風呂用腰掛は手桶が収納されている、いない、にかかわらず使用可能であると共に風呂用腰掛を使用している、使用していない、にかかわらず風呂用腰掛に手桶を出し入れできる。手桶を収納した風呂用腰掛は、一体的に移動可能である。手桶は倒立した状態でしか風呂用腰掛に収納できない。従って、湯水の入った手桶を風呂用腰掛に収納してしまう不衛生状態が生ずることがない。
【００２６】
請求項２に係る考案によれば、手桶は倒立した状態でしか風呂用腰掛に収納できないので、誤って手桶を正立させて風呂用腰掛に入れるということがない構成において、上拡がりの普通の手桶を風呂用腰掛に収納でき、手桶収納部の開口と手桶の間の隙間を小さくでき、意匠の向上に寄与する。
【００２７】
請求項３に係る考案によれば、きわめて容易に手桶収納部を清掃できる。清掃の際も、光が手桶収納部に入り易いので汚れていないかどうかの点検も容易である。
【００２８】
請求項４に係る考案によれば、手桶を収納した風呂用腰掛は、手桶も該腰掛も下側に向って末拡がりであることと併せて手桶の容量を確保できる。そして、手桶を風呂用腰掛に収納した状態において風呂用一体型腰掛は外周に凹凸が少く、取り扱い易い。
【００２９】
請求項５に係る考案によれば、手桶は正立した状態で床上に安定して置くことが出来る。そして、風呂用腰掛の手桶収納部に収納された手桶は倒立した状態であり、風呂用腰掛の底部の水抜きから侵入する水は手桶の底板上に溜まることなく排水される。
【図面の簡単な説明】
【００３０】
【図１】手桶を収納した状態の風呂用腰掛の正面図である。
【図２】図１の側面図である。
【図３】風呂用腰掛の平面図である。
【図４】風呂用腰掛の底面図である。
【図５】手桶の正面図である。
【図６】手桶の側面図である。
【実施例】
【００３１】
以下、図面を用いてこの考案の実施例について説明する。図１、図２は手桶を収納した風呂用腰掛を示しており、図１は正面図、図２は図１の側面図である。図３は風呂用腰掛の平面図、図４は図３の底面図である。
【００３２】
（全体構成）
風呂用腰掛１は前後の側面の構成は同一である。
【００３３】
風呂用腰掛１は前側の側面１ａ、後面の側面１ｂに開口１ｃ，１ｄを設けてある。該開口１ｃ又は１ｄから横方向に手桶２を収納可能な空間であると共に手桶２を一体的に移動可能に支持する手桶収納部１ｅを人が腰を掛ける座部１ｆの下方の内部に設けてある。
【００３４】
倒立した手桶２の正面から見た形状は風呂用腰掛１の開口１ｃ又は１ｄから横方向に手桶収納部１ｅへ挿脱可能で、手桶収納部１ｅへ丁度収納される形状である。
【００３５】
（風呂用腰掛）
風呂用腰掛１は左右前後が対称である。従って、座部１ｆの中心にある点Ｃ（図３参照）をとおる図の紙面に直角方向の線に対して対称形状をしている。
【００３６】
風呂用腰掛１は正面図、背面図（背面図は図示しないが正面図と同一）は同様外形が台形である。対向する前後の側面１ａ，１ｂは夫々が台形である。風呂用腰掛１は前後方向において、上端の座部１ｆの幅ｗ１は下端の脚部の幅ｗ２より小さい。前後の側面１ａ，１ｂに交叉している側面１ｇ，１ｈは図３に示すように太鼓の胴の一部分と同様に円弧状である。側面１ｇ，１ｈは上端側と下端側は同一中心線上の円弧である。
【００３７】
風呂用腰掛１の側面に設けた開口１ｃは正面から見て、左右方向の対向間隔は上部が下部より小さい。即ち、開口１ｃの上辺１ｃ１は下辺１ｃ２より長さが短い。一方、手桶２は倒立した状態において側面２ｇ，２ｈが開口１ｃの側縁１ｑ，１ｒと小隙間をおいて平行している。
【００３８】
手桶収納部１ｅの水平面である天面１ｊは開口１ｃ，１ｄの上縁間を横に結んだ平面である。ここで、座部１ｆ、天面１ｊ、側面１ａ，１ｂ，１ｇ，１ｈは夫々が図示されない板材の側面であり、これら板材で囲まれた空間は中空である（図略）。
【００３９】
開口１ｃの下辺１ｃ２、開口１ｄの下辺１ｄ２間は、下辺１ｃ２，１ｄ２よりもわずかに下った平面であって、手桶収納部１ｅの下面１ｋである。手桶収納部１ｅの下面１ｋの左右の隅は下辺１ｃ２，１ｄ２と同高さの突条１ｓとなっている。突条１ｓ上に手桶２は載置される。下面１ｋから下方に向って開口１ｍが設けてある。風呂用腰掛１を水平面上に置いた際に下面１ｋは水平面となる。そこで開口１ｍを下面１ｋ全域にわたり大きく設けることにより、手桶２を倒立して手桶収納部１ｅに収納した際の手桶２中の水は下面１ｋに溜りとなり難い。本例では図４に示すように左右方向に長い広幅の２条の開口１ｍとしてある。上記のような開口１ｍを備えたことにより、手桶２が風呂用腰掛１に収納されていない場合も、座部の水抜き穴１ｉから落下する湯水は下面１ｋに溜りとなり難い。
【００４０】
風呂用腰掛の各側面１ａ，１ｂ，１ｇ，１ｈを外表面とする側板は下面１ｋ下方へ延出され図４に示すように回り縁となった脚部１ｎを構成している。脚部１ｎには風呂用腰掛１の前後面となる側にぬすみ１ｐを設けてある。
【００４１】
（手桶）
手桶２は上縁２ａが内側へ張出し強度を持たせた回り縁となってその内側が開口している。上縁２ａの下側２ａ１は円弧形の隅でもって手桶２を倒立したときに湯水滴が溜らない形状である。そして、手桶２は平面でみて外部は角を丸めた方形である。側面２ｃ，２ｄ，２ｇ，２ｈは夫々左右対称な台形であり、夫々手桶２を正立した状態で上辺の方が下辺よりも長い。
【００４２】
手桶２は風呂用腰掛１の開口１ｃ又は１ｄを通じて手桶用収納部１ｅに丁度入る大きさである。今、手桶２の正面より見た上縁２ａの幅Ｆ１、手桶２を倒立して手桶収納部１ｅに収納した状態において、手桶２の下端面２ｂの位置における開口１ｃ，１ｄの左右方向の幅をｗ３とするとｗ３＜Ｆ１である。これによって手桶２は倒立すると開口１ｃ，１ｄを通じて手桶収納部１ｅに収納できるが、正立して開口１ｃ，１ｄから入れようとすると、手桶２の上縁２ａの両端が開口１ｃ又は１ｄの両側縁１ｑ，１ｒと干渉して手桶２を風呂用腰掛１に収納できない。また、開口１ｃ又は１ｄの上下辺間の距離は手桶２の上縁２ａの幅Ｆ１よりも小さく、手桶２を横倒しても開口１ｃ又は１ｄを通じて手桶収納部１ｅへ進入できない。即ち、手桶２は倒立してのみ手桶収納部１ｅへ収納できる。
【００４３】
風呂用腰掛１に手桶２を収納し風呂用一体型腰掛とした状態において、風呂用腰掛１の前後の側面１ａ，１ｂと、手桶２の前後の側面２ｃ，２ｄは同一面又はほぼ同一面上に位置する。
【００４４】
風呂用腰掛１の座部１ｆは凹部１ｆ１を有する。凹部１ｆ１の底には凹部１ｆ１に溜る湯水を抜くための水抜き穴１ｉを有する。
【００４５】
図５に示すように手桶２の底板２ｅは中凹みの等厚の平板である。この中凹の形状は最低部２ｅ１から左右両側に向って平板として上昇し傾斜している。底板２ｅは前後方向には傾斜していない。従って最低部２ｅ１は図５の紙面に直交する方向の谷底となっている。
【００４６】
底板２ｅより下方に向って回り縁となって突出する脚部２ｆを有する。脚部２ｆの外面は側面２ｃ，２ｄ，２ｇ，２ｈと同一面上にある。脚部２ｆには水抜き穴２ｉが設けてある。水抜き穴２ｉは倒立した状態の手桶２の底板２ｅの最低位置から外部に通ずる横に長い貫通穴である。本例では、水抜き穴２ｉは側板２ｇ，２ｈの側に合計４個所設けてある。水抜き穴２ｉは穴でなくとも、手桶２の下端から底板２ｅまでの切り込みとしてもよい。即ち、水抜き穴２ｉは排水路の例である。
【００４７】
手桶２の前側の側面２ｃに把手２ｊを設けてある。把手２ｊを設けることにより、風呂用腰掛１に手桶２を収納した状態では、風呂用腰掛１の前側側面１ａと手桶２の前側の側面２ｃが同一面又はほぼ同一面になった場合でも、把手２ｊを手で持って容易に引き出すことができる。
【００４８】
ここで、風呂用腰掛１、手桶２は夫々合成樹脂一体成形品である。尚、図面では風呂用腰掛１、手桶２は機能に関する形状部分のみを説明してある。しかし、成形上必要な部分は肉抜きされており、何れの個所も薄板として厚さを有する。また、肉厚部分においては、ブロー成形で中抜きされている。
【００４９】
上述のように構成してあるので、手桶２は風呂用腰掛１に収納されて風呂場が片付く。そして、風呂用腰掛１に座ったまま、把手２ｊを持って手桶２を風呂用腰掛１に出し入れできる。
【００５０】
風呂用腰掛１へ手桶２は倒立しなければ入らないから、従来例のように手桶に湯水が入ったまま放置してしまうことが回避できる。
【００５１】
風呂用腰掛１は手桶２を収納したままでも移動可能である。  
【００５２】
風呂用腰掛１は座部１ｆに水抜き穴１ｉがあったとしても、水抜き穴１ｉを通って滴下する湯水は手桶２が倒立しているから手桶２に溜らない。
【００５３】
手桶２は回り縁状に脚部２ｆを備えているが底板２ｅを中凹みとすると共に脚部２ｆに水抜き穴２ｉを設けてあるので、倒立した手桶２の底板２ｅ上に水抜き穴１ｉから滴下した水は底板２ｅ上に溜ることなく流出する。
【符号の説明】
【００５４】
１…風呂用腰掛  １ａ，１ｂ…側面  １ｃ…開口  １ｃ１…上辺  １ｃ２…下辺  １ｄ…開口  １ｄ２…下辺  １ｅ…手桶収納部  １ｆ…座部  １ｆ１…凹部  １ｇ，１ｈ…側面  １ｉ…水抜き穴  １ｊ…天面  １ｋ…下面  １ｍ…開口  １ｎ…脚部  １ｐ…ぬすみ  １ｑ，１ｒ…側縁  １ｓ…突条
２…手桶  ２ａ…上縁  ２ａ１…回り縁下側  ２ｂ…下端面  ２ｃ，２ｄ…
側面  ２ｅ…底板  ２ｅ１…最低部  ２ｆ…脚部  ２ｇ，２ｈ…側面  ２ｉ…
水抜き穴  ２ｊ…把手  
ｗ１，ｗ２…幅
Ｆ１…幅  
【図１】
0003152541.tif 000003
【図２】
0003152541.tif 000004
【図３】
0003152541.tif 000005
【図４】
0003152541.tif 000006
【図５】
0003152541.tif 000007
【図６】
0003152541.tif 000008
【手続補正書】
【提出日】平成21年6月3日(2009.6.3)
【手続補正１】
【補正対象書類名】実用新案登録請求の範囲
【補正対象項目名】請求項５
【補正方法】変更
【補正の内容】
【請求項５】
風呂用腰掛の座部には手桶収納部に通ずる水抜き穴を有し、周辺より内側に向って下るように傾斜した底板を有する手桶は底板の周縁に底板から下方に突出する脚部を有し、脚部には、手桶を倒立した際に底板上の水を排出する排水路を有することを特徴とする請求項１から４の何れか１つに記載の風呂用一体型腰掛。